(57)【要約】【課題】楽器筐体の省スペースを図ると共に、ギヤ部を露出させないようにして円滑で安全な開閉と良好な外観を維持する。【解決手段】蓋体３０は、閉蓋時に前後に隣接すると共に開蓋時に鍵盤楽器１０の筐体の後部に重なる前蓋３１及び後蓋３２から構成される。鍵盤楽器１０の側板部１５に形成される中空部ｓ内において、ラックギヤ部１８ａが形成されたギヤ部材１８が突設される。側板部１５の内側壁２６にはガイド溝穴１９が形成される。前蓋３１の後端部３１ａには、連動軸３３が左右方向に沿って軸支され、連動軸３３の左右両端部３３ａ、３３ｂは、ガイド溝穴１９を貫通して中空部ｓＬ、ｓＲ内に挿入され、そこにピニオンギヤ３５が固着される。ピニオンギヤ３５がラックギヤ部１８ａに噛合して転動することで、連動軸３３がガイド溝穴１９内を前後に移動し、前蓋３１が前後に移動する。【選択図】図２
2010204451.tif 000002
【特許請求の範囲】
【請求項１】
分割して構成され、閉蓋時に前後に隣接すると共に、開蓋時に鍵盤楽器の筐体の後部において重なって収容される前蓋及び後蓋を有する蓋体と、
前記鍵盤楽器の前記筐体の左右の側部に構成され、左内側面と左外側面との間、右内側面と右外側面との間にそれぞれ左側中空部／右側中空部が形成された左側板部／右側板部と、
前記左側板部／前記右側板部の前記左側中空部／前記右側中空部の中において、それぞれ前後方向に延設形成された左側ラックギヤ部／右側ラックギヤ部と、
前記前蓋の後端部に軸支されて左右に突出して設けられた連動軸と、
前記連動軸の左端部／右端部にそれぞれ固着された左側ピニオンギヤ／右側ピニオンギヤと、
前記蓋体の開閉の全行程に対応する前記連動軸の移動方向に沿って前記左側板部／前記右側板部にそれぞれ形成された、左側ガイド溝穴／右側ガイド溝穴とを有し、
前記連動軸の前記左端部／前記右端部はそれぞれ前記左側ガイド溝穴／前記右側ガイド溝穴を貫通すると共に、前記左側ピニオンギヤ／前記右側ピニオンギヤが前記左側中空部／前記右側中空部の中に位置し、前記前蓋の押し引き操作によって前記左側ピニオンギヤ／前記右側ピニオンギヤが前記左側ラックギヤ部／前記右側ラックギヤ部とそれぞれ噛合して転動することで、前記前蓋が前後方向にスライド移動するように構成されたことを特徴とする鍵盤楽器の蓋開閉構造。
【請求項２】
前記左側板部／前記右側板部の前記左内側面／前記右内側面においてそれぞれ前記左側ガイド溝穴／前記右側ガイド溝穴より上に、開蓋状態において前記左側ガイド溝穴／前記右側ガイド溝穴を目隠しするための左側突設部／右側突設部が設けられたことを特徴とする請求項１記載の鍵盤楽器の蓋開閉構造。
【請求項３】
前記左側板部／前記右側板部に、それぞれ左右方向に沿った左回動軸／右回動軸を中心に回動自在に設けられた左カバー体／右カバー体を有し、前記左カバー体／前記右カバー体はそれぞれ、閉蓋時には、前記左回動軸／前記右回動軸よりも前側の部分が前記連動軸に当接支持されて回動位置が規制され、開蓋時には、前記前側の部分が閉蓋時に比し下方に回動した状態となって前記左側ガイド溝穴／前記右側ガイド溝穴の少なくとも前半部が前記左カバー体／前記右カバー体によって塞がれるように構成されたことを特徴とする請求項１または２記載の鍵盤楽器の蓋開閉構造。
【請求項４】
前記左カバー体／前記右カバー体の前記前側の部分における前記連動軸に当接する部分は、前記前側の部分が前記連動軸に当接する全行程において前方にいくにつれて下方に傾斜しており、且つ、前記左側ラックギヤ部／前記右側ラックギヤ部の前半部は、前方にいくにつれて下方に傾斜していることを特徴とする請求項３記載の鍵盤楽器の蓋開閉構造。
【請求項５】
前記筐体には、前記後蓋を前後方向に移動自在に支持する後蓋支持部が設けられ、前記前蓋には係合部が設けられると共に、前記後蓋には被係合部が設けられ、前記前蓋の操作により前記前蓋が前後方向に移動するとき、前記前蓋の前記係合部と前記後蓋の前記被係合部が係合することで、前記前蓋に連動して前記後蓋が移動するように構成されたことを特徴とする請求項１〜４のいずれか１項に記載の鍵盤楽器の蓋開閉構造。
【発明の詳細な説明】
【技術分野】
【０００１】
本発明は、分割して構成される蓋体を有する鍵盤楽器の蓋開閉構造に関する。
【背景技術】
【０００２】
従来、下記特許文献１、２に示されるように、分割して構成された蓋体を採用する鍵盤楽器の蓋開閉構造が知られている。
【０００３】
例えば、下記特許文献１の構造では、蓋体が前蓋と後蓋とに分割して構成され、前蓋の後部の左右両端にピニオンギヤが設けられる。そして、楽器筐体の左右内側に設けられたラックギヤに上記ピニオンギヤが噛合して転動し、前蓋が前後にスライド移動するように構成される。
【０００４】
一方、下記特許文献２の構造では、分割構成の蓋体のうち、後蓋の後部の左右両端にピニオンギヤが設けられる。上記ピニオンギヤが噛合するラックギヤが、筐体後部において、後方且つ上方に凸となるように湾曲して設けられる。そして、前蓋を後方に移動させると、後蓋が、ラックギヤの湾曲に応じて筐体内の下方に降りて斜めに起立する。
【先行技術文献】
【特許文献】
【０００５】
【特許文献１】特開平８−２６３０５１号公報
【特許文献２】特開２００７−１０２０４５号公報
【発明の概要】
【発明が解決しようとする課題】
【０００６】
しかしながら、上記特許文献１の構造では、ラックギヤが露出し、ピニオンギヤも閉蓋時には露出する。そのため、見栄えが悪く不安全であるだけでなく、ピニオンギヤに塗布されたグリスが衣服等に付きやすく、付くと潤滑効果が薄れていってしまい、円滑な開閉動作を長期間維持するのが困難である。
【０００７】
一方、上記特許文献２の構造では、開蓋時において前蓋は水平であるが後蓋は斜めになるため、楽器筐体の後部におけるスペースを大きく確保しておく必要があり、無駄が生じることになる。
【０００８】
本発明は上記従来技術の問題を解決するためになされたものであり、その目的は、楽器筐体の省スペースを図ると共に、ギヤ部を露出させないようにして円滑で安全な開閉と良好な外観を維持することができる鍵盤楽器の蓋開閉構造を提供することにある。
【課題を解決するための手段】
【０００９】
上記目的を達成するために本発明の請求項１の鍵盤楽器の蓋開閉構造は、分割して構成され、閉蓋時に前後に隣接すると共に、開蓋時に鍵盤楽器の筐体の後部において重なって収容される前蓋（３１）及び後蓋（３２）を有する蓋体（３０）と、前記鍵盤楽器（１０）の前記筐体の左右の側部に構成され、左内側面（１５ｂＬ）と左外側面（１５ａＬ）との間、右内側面（１５ｂＲ）と右外側面（１５ａＲ）との間にそれぞれ左側中空部（ｓＬ）／右側中空部（ｓＲ）が形成された左側板部（１５Ｌ）／右側板部（１５Ｒ）と、前記左側板部／前記右側板部の前記左側中空部／前記右側中空部の中において、それぞれ前後方向に延設形成された左側ラックギヤ部（１８ａＬ）／右側ラックギヤ部（１８ａＲ）と、前記前蓋の後端部（３１ａ）に軸支されて左右に突出して設けられた連動軸（３３）と、前記連動軸の左端部（３３ａ）／右端部（３３ｂ）にそれぞれ固着された左側ピニオンギヤ（３５Ｌ）／右側ピニオンギヤ（３５Ｒ）と、前記蓋体の開閉の全行程に対応する前記連動軸の移動方向に沿って前記左側板部／前記右側板部にそれぞれ形成された、左側ガイド溝穴（１９Ｌ）／右側ガイド溝穴（１９Ｒ）とを有し、前記連動軸の前記左端部／前記右端部はそれぞれ前記左側ガイド溝穴／前記右側ガイド溝穴を貫通すると共に、前記左側ピニオンギヤ／前記右側ピニオンギヤが前記左側中空部／前記右側中空部の中に位置し、前記前蓋の押し引き操作によって前記左側ピニオンギヤ／前記右側ピニオンギヤが前記左側ラックギヤ部／前記右側ラックギヤ部とそれぞれ噛合して転動することで、前記前蓋が前後方向にスライド移動するように構成されたことを特徴とする。
【００１０】
好ましくは、前記左側板部／前記右側板部の前記左内側面／前記右内側面においてそれぞれ前記左側ガイド溝穴／前記右側ガイド溝穴より上に、開蓋状態において前記左側ガイド溝穴／前記右側ガイド溝穴を目隠しするための左側突設部（１７Ｌ）／右側突設部（１７Ｒ）が設けられる（請求項２）。
【００１１】
好ましくは、前記左側板部／前記右側板部に、それぞれ左右方向に沿った左回動軸（２１）／右回動軸（２１）を中心に回動自在に設けられた左カバー体（２２）／右カバー体（２２）を有し、前記左カバー体／前記右カバー体はそれぞれ、閉蓋時には、前記左回動軸／前記右回動軸よりも前側の部分（２２ａ）が前記連動軸に当接支持されて回動位置が規制され、開蓋時には、前記前側の部分が閉蓋時に比し下方に回動した状態となって前記左側ガイド溝穴／前記右側ガイド溝穴の少なくとも前半部が前記左カバー体／前記右カバー体によって塞がれるように構成される（請求項３）。
【００１２】
好ましくは、前記左カバー体／前記右カバー体の前記前側の部分における前記連動軸に当接する部分（２２ｂ）は、前記前側の部分が前記連動軸に当接する全行程において前方にいくにつれて下方に傾斜しており、且つ、前記左側ラックギヤ部／前記右側ラックギヤ部の前半部は、前方にいくにつれて下方に傾斜している（請求項４）。
【００１３】
好ましくは、前記筐体には、前記後蓋を前後方向に移動自在に支持する後蓋支持部（１７）が設けられ、前記前蓋には係合部（３３、３６）が設けられると共に、前記後蓋には被係合部（３４ａ、３７、３８）が設けられ、前記前蓋の操作により前記前蓋が前後方向に移動するとき、前記前蓋の前記係合部と前記後蓋の前記被係合部が係合することで、前記前蓋に連動して前記後蓋が移動するように構成される（請求項５）。
【００１４】
なお、上記括弧内の符号は例示である。
【発明の効果】
【００１５】
本発明の請求項１によれば、楽器筐体の省スペースを図ると共に、ギヤ部を露出させないようにして円滑で安全な開閉と良好な外観を維持することができる。
【００１６】
請求項２によれば、ガイド溝穴を目隠しして開蓋時の外観の悪化を抑制することができる。
【００１７】
請求項３によれば、開蓋時にガイド溝穴が塞がれるようにして、中空部内への異物の入り込み防止や外観向上に寄与することができる。
【００１８】
請求項４によれば、カバー体２２と前蓋３１の各自重により連動軸にかかる付勢力が前後方向における反対方向にかかるようにして、開閉動作を円滑にする設計を容易にすることができる。
【００１９】
請求項５によれば、前蓋の操作だけで開蓋及び閉蓋操作が可能になり、開閉操作が容易となる。
【図面の簡単な説明】
【００２０】
【図１】本発明の第１の実施の形態に係る蓋開閉構造が適用される鍵盤楽器の模式的な右側面図であり、閉蓋状態を示す図（図（ａ））、蓋体の図示を省略した図（図（ｂ））である。
【図２】同鍵盤楽器の模式的な右側面図であり、開蓋行程の途中の状態（図（ａ））、開蓋状態（図（ｂ））、閉蓋行程の途中の状態（図（ｃ））をそれぞれ示す図である。
【図３】図２（ｂ）のＡ−Ａ線に沿う鍵盤楽器の断面図（図（ａ））、図３（ａ）のＢ−Ｂ線に沿う鍵盤楽器の断面図（図（ｂ））である。
【図４】本発明の第２の実施の形態に係る蓋開閉構造が適用される鍵盤楽器の図３（ａ）に対応する断面図（図（ａ））、同鍵盤楽器の模式的な右側面図（図（ｂ）、（ｃ））である。
【図５】側板部の変形例を示す図３（ａ）に対応する断面図（図（ａ））、蓋体の変形例を示す模式図（図（ｂ）、（ｃ））である。
【発明を実施するための形態】
【００２１】
以下、本発明の実施の形態を図面を参照して説明する。
【００２２】
（第１の実施の形態）
図１（ａ）、（ｂ）、図２（ａ）〜（ｃ）は、本発明の第１の実施の形態に係る蓋開閉構造が適用される鍵盤楽器の模式的な右側面図である。これらの図では、後述する側板部１５（左側板部１５Ｌ、右側板部１５Ｒ）（図３（ｂ）参照）のうち右側板部１５Ｒが取り外された状態が示されている。これらの図において、左方が、鍵盤楽器１０の奏者が位置する前方であり、以降、鍵盤楽器１０の左右方向については、奏者からみた方向で呼称する。
【００２３】
図３（ａ）は、図２（ｂ）のＡ−Ａ線に沿う鍵盤楽器１０の断面図である。図３（ｂ）は、図３（ａ）のＢ−Ｂ線に沿う鍵盤楽器１０の断面図である。
【００２４】
図１、図２に示すように、この鍵盤楽器１０の蓋開閉構造は、分割して構成される前蓋３１及び後蓋３２からなる蓋体３０を有する。鍵盤楽器１０は、電子鍵盤楽器として構成されるが、本発明の蓋開閉構造は、アコ−スティックの鍵盤楽器や、脚部付きの鍵盤楽器にも適用可能である。
【００２５】
鍵盤楽器１０の筐体は、図１、図２等に示す棚板１１、天板１２及び背板１３と、さらに図３（ｂ）等に示す側板部１５（１５Ｌ、１５Ｒ）、左前板部１４Ｌ及び右前板部１４Ｒとから構成される。図１、図２に示すように、筐体内において、棚板１１の上には鍵フレーム１６が配設され、鍵フレーム１６に、それぞれ複数の白鍵及び黒鍵からなる鍵盤部ＫＢが配設される。楽音発生等のための電気・電子部品の図示は省略されている。
【００２６】
本蓋開閉構造は、主に、蓋体３０と、筐体における左側板部１５Ｌ、右側板部１５Ｒとにおいて構成される。本蓋開閉構造は、左右対称であるので、左右対称の構成要素の左側／右側のものを区別するときは、それぞれ、符号「Ｌ」／「Ｒ」を付して説明する。また、以降、側板部１５周りの構成については主に左側板部１５Ｌ周りのものを説明するが、右側板部１５Ｒ周りのものも同様に構成される。
【００２７】
蓋体３０は、前後スライド式であり、全開時には、後蓋３２と前蓋３１とが上下に重なって、筐体後部に収容される構成となっている。ここで、図１（ａ）が、蓋体３０を閉じた「閉蓋状態」を示し、図２（ｂ）が、蓋体３０を全開した「開蓋状態」を示す。図２（ａ）は開蓋行程の途中、図２（ｃ）は閉蓋行程の途中の状態をそれぞれ示す。図１（ｂ）では、蓋体３０の図示を省略している。
【００２８】
図３（ａ）、（ｂ）に示すように、左側板部１５Ｌは、棚板１１、天板１２及び背板１３に固着され、一般の鍵盤楽器の側板乃至腕木に相当するが、一般の側板乃至腕木よりもやや厚みが厚いのが望ましい。左側板部１５Ｌは、木質材等によって一体的に構成され、前端に左前板部１４Ｌが固着されて、内側壁２６Ｌと外側壁２７Ｌとの間に中空部ｓＬが形成されている。内側壁２６Ｌの右面、外側壁２７Ｌの左面が、左側板部１５Ｌの内側面１５ｂＬ、外側面１５ａＬとなっている。
【００２９】
図１、図２、図３（ｂ）に示すように、左側板部１５Ｌの内側面１５ｂＬにおいて鍵盤部ＫＢよりやや上方位置には、蓋体３０の開閉時に前蓋３１の前端部をスライド自在に支持する前蓋支持部２０Ｌが前後方向に沿って突設されている。前蓋支持部２０Ｌは、左側板部１５Ｌに対して一体であるか別体であるかを問わない。前蓋支持部２０Ｌの後半部は、開蓋行程後半において前蓋３１がほぼ水平となるように、水平となっているが、前半部は前方にいくにつれて下方に傾斜している。
【００３０】
図１（ａ）、図３（ａ）等に示すように、左側板部１５Ｌの内側壁２６Ｌには、ガイド溝穴１９Ｌが前後方向に沿って形成されている。ガイド溝穴１９Ｌは、図１（ｂ）に示すように、鍵盤部ＫＢよりも上方において、左側板部１５Ｌの前半部の途中から後部にかけて設けられる。ガイド溝穴１９Ｌは、主に前後方向中間部分が上方に凸となるように湾曲していて、後半部はほぼ水平であるが、前半部は前方にいくにつれて下方に傾斜している。
【００３１】
図１（ｂ）、図３（ａ）、（ｂ）等に示すように、中空部ｓＬ内において、内側壁２６Ｌからは、左方に向かって金属製等のギヤ部材１８Ｌが突設して設けられ、ギヤ部材１８Ｌの上部には、ラックギヤ部１８ａＬが形成されている。ラックギヤ部１８ａＬはギヤ部材１８Ｌの前後方向全長に亘って形成される。ギヤ部材１８Ｌは、中空部ｓＬ内において固定的に設けられればよく、外側壁２７Ｌから右方に向かって突設してもよい。ギヤ部材１８Ｌは、図１（ｂ）に示すように、ガイド溝穴１９Ｌよりやや下の位置において、ガイド溝穴１９Ｌに平行に設けられる。従って、ギヤ部材１８Ｌの後半部は水平であるが、前半部は前方にいくにつれて下方に傾斜している。
【００３２】
図１（ａ）、図３（ａ）等に示すように、左側板部１５Ｌの内側面１５ｂＬには、ガイド溝穴１９Ｌの直上であってガイド溝穴１９Ｌに平行に、突設部１７Ｌが設けられる。突設部１７Ｌは、内側壁２６Ｌと一体でもよいし、別体のものを固着したものでもよい。突設部１７Ｌの主に前半部は、上方乃至奏者側からガイド溝穴１９Ｌを目隠しする機能を果たす。突設部１７Ｌの主に後半部は、前半部よりも幅広となっていて、蓋体３０の開閉時に後蓋３２の後端部をスライド自在に支持する機能を果たす。
【００３３】
蓋体３０については、次のように構成される。まず、前蓋３１の後端部３１ａ（図１（ａ）、図３（ｂ）参照）には、丸棒状の連動軸３３が、左右方向に沿って軸支されている。図３（ｂ）に示すように、連動軸３３の左端部３３ａ、右端部３３ｂが、前蓋３１から左右に突出している。左端部３３ａ、右端部３３ｂには、それぞれ、ラックギヤ部１８ａ（１８ａＬ、１８ａＲ）の歯に対応する歯を有するピニオンギヤ３５（３５Ｌ、３５Ｒ）が固着される。連動軸３３が前蓋３１に対して回動自在であるので、ピニオンギヤ３５Ｌ、３５Ｒも連動軸３３と共に前蓋３１に対して回動自在である。ラックギヤ部１８ａＬ、１８ａＲに対するピニオンギヤ３５Ｌ、３５Ｒの移動量が同期するように、これらの各歯の位置が設定されている。従って、蓋体３０の開閉全行程において、ピニオンギヤ３５Ｌ、３５Ｒは常に同心で、連動軸３３は常に左右方向に平行である。これにより、円滑な開閉操作が可能である。
【００３４】
図１（ａ）、図２（ａ）〜（ｃ）、図３（ａ）に示すように、後蓋３２の左端部、右端部の各下側には、前後方向に沿って段差部３２ａが形成され、各段差部３２ａに、金属製等の係合部材３４（３４Ｌ、３４Ｒ）が固着されている。係合部材３４Ｌは、後蓋３２の左端部の段差部３２ａから下方に垂下した下端が左方に水平に延び、その左端から下方に延びた部分が、前蓋３１の左端に近接している（図３（ａ）参照）。上記下方に延びた部分には、係合溝３４ａＬが前後方向に沿って形成されている。係合部材３４Ｒ、係合溝３４ａＲ（図１（ａ）参照）及びその周りの構成は、係合部材３４Ｌと左右対称で同様である。
【００３５】
そして、係合溝３４ａ（３４ａＬ、３４ａＲ）内を連動軸３３の左端部３３ａ、右端部３３ｂがそれぞれ貫通している。従って、連動軸３３の左端部３３ａ、右端部３３ｂと係合溝３４ａＬ、３４ａＲとの係合により、後蓋３２と前蓋３１とが常に係合すると共に、左端部３３ａ、右端部３３ｂと係合溝３４ａＬ、３４ａＲの各前後端との係合により、前蓋３１の移動に対して後蓋３２が追従するようになっている。
【００３６】
図３（ａ）、（ｂ）に示すように、連動軸３３の左端部３３ａは、係合溝３４ａＬを貫通するだけでなく、さらにガイド溝穴１９Ｌを貫通して、中空部ｓＬ内に挿入されている。従って、ピニオンギヤ３５Ｌは、ラックギヤ部１８ａＬと共に、左側板部１５Ｌに内蔵された形で配設されることになる。蓋体３０の開閉全行程において、ピニオンギヤ３５Ｌがラックギヤ部１８ａＬに歯合する上で、連動軸３３がガイド溝穴１９Ｌ内を円滑に移動できるように、ガイド溝穴１９Ｌの位置や上下方向の幅が設定されている。ラックギヤ部１８ａＬには、潤滑用のグリスが塗布されている。
【００３７】
右側板部１５Ｒ（図３（ｂ）等参照）において、内側壁２６Ｒ、外側壁２７Ｒ、内側面１５ｂＲ、外側面１５ａＲ、中空部ｓＲ、右前板部１４Ｒ、前蓋支持部２０Ｒ、ガイド溝穴１９Ｒ、突設部１７Ｒ、ギヤ部材１８Ｒ、ラックギヤ部１８ａＲ及びピニオンギヤ３５Ｒについては、左側板部１５Ｌにおける、内側壁２６Ｌ、外側壁２７Ｌ、内側面１５ｂＬ、外側面１５ａＬ、中空部ｓＬ、左前板部１４Ｌ、前蓋支持部２０Ｌ、ガイド溝穴１９Ｌ、突設部１７Ｌ、ギヤ部材１８Ｌ、ラックギヤ部１８ａＬ及びピニオンギヤ３５Ｌと左右対称に同様に構成される。
【００３８】
本鍵盤楽器１０の蓋開閉構造の主要部は次のようにして製造される。まず、蓋体３０については、前蓋３１に連動軸３３を取り付けると共に、後蓋３２に係合部材３４Ｌ、３４Ｒを取り付け、連動軸３３の左端部３３ａ、右端部３３ｂが係合部材３４Ｌ、３４Ｒの係合溝３４ａＬ、３４ａＲを貫通するように、前蓋３１と後蓋３２とを連結する。
【００３９】
一方、左側板部１５Ｌ、右側板部１５Ｒについては、くり抜きや金型成形等によって中空部ｓ（ｓＬ、ｓＲ）を形成すると共に、ガイド溝穴１９を形成し、前蓋支持部２０Ｌ、２０Ｒ、突設部１７Ｌ、１７Ｒ、ギヤ部材１８Ｌ、１８Ｒも固着等によって設ける。連動軸３３の左端部３３ａ、右端部３３ｂをガイド溝穴１９（１９Ｌ、１９Ｒ）から中空部ｓＬ、ｓＲ内に挿通し、それぞれにピニオンギヤ３５Ｌ、３５Ｒを固着する。そして、左側板部１５Ｌ、右側板部１５Ｒの前側から左前板部１４Ｌ、右前板部１４Ｒをネジや接着剤で固着して、中空部ｓＬ、ｓＲの前方を塞ぐ。左側板部１５Ｌ、右側板部１５Ｒは、左前板部１４Ｌ、右前板部１４Ｒが固着される前または後に、棚板１１、天板１２及び背板１３に対してネジ等の固着具で固着する。
【００４０】
蓋体３０の開閉動作は次のようになる。まず、閉蓋状態では、図１（ａ）に示すように、前蓋３１と後蓋３２とが前後に隣接して鍵盤部ＫＢを上方から覆う。このとき、前蓋３１の前端部は左前板部１４Ｌ、右前板部１４Ｒに支持される。前蓋３１の後端部３１ａは、連動軸３３を介してピニオンギヤ３５によって支持され、後蓋３２の前端部も、係合部材３４、連動軸３３を介して支持される。後蓋３２の後端部は、突設部１７の上に乗って、支持されている。
【００４１】
次に、前蓋３１を操作して後方に押していくと、ピニオンギヤ３５がラックギヤ部１８ａに噛合してラックギヤ部１８ａ上を転動し、連動軸３３がガイド溝穴１９内及び後蓋３２の係合部材３４の係合溝３４ａ内を後方に移動する。従って、前蓋３１だけが後方に移動する。その際、前蓋３１の前端部は、持ち上げてもよいが、前蓋支持部２０（２０Ｌ、２０Ｒ）上をスライドさせていってもよい。
【００４２】
そして、連動軸３３が係合部材３４の係合溝３４ａの後端に当接すると、連動軸３３によって係合溝３４ａを介して後蓋３２が駆動され、その後は図２（ａ）に示すように、前蓋３１に連動して後蓋３２が後方に移動していく。そして、連動軸３３がガイド溝穴１９の後端に当接した時点で前蓋３１及び後蓋３２の後方位置が規制され、開蓋状態となる（図２（ｂ）、図３（ａ）参照）。前蓋３１及び後蓋３２は上下にほぼ平行に重なるので、筐体内にコンパクトに収容される。開蓋状態においては、突設部１７によってガイド溝穴１９が隠れるので、外観が悪化しないで済む。
【００４３】
次に、開蓋状態から閉蓋のために前蓋３１を前方に引っ張ると、まずは、連動軸３３がガイド溝穴１９内及び後蓋３２の係合部材３４の係合溝３４ａ内を前方に移動する。従って、前蓋３１だけが前方に移動する。そして、連動軸３３が係合溝３４ａの前端に当接すると、連動軸３３によって係合溝３４ａを介して後蓋３２が駆動され、その後は前蓋３１に連動して後蓋３２が前方に移動していく（図２（ｃ）参照）。そして、連動軸３３がガイド溝穴１９の前端に当接した時点で前蓋３１及び後蓋３２の前方位置が規制され、閉蓋状態となる（図１（ａ）参照）。
【００４４】
ところで、上述したように、ギヤ部材１８及びガイド溝穴１９は側面視で同じように前半部が傾斜している。これらについては、閉蓋行程において連動軸３３が係合溝３４ａの前端に当接開始した状態（図２（ｃ））における連動軸３３の位置とほぼ同じ位置より前方部分が、傾斜している領域となっている。閉蓋行程においては、途中から、前蓋３１が後蓋３２を引き連れてくるので後蓋３２の荷重が加わることになる。しかし、ギヤ部材１８が前方にいくにつれて下方に傾斜しているので、おおよそ後蓋３２の荷重が加わる時点から、前蓋３１の自重によりピニオンギヤ３５が前方に転がりやすくなる。従って、必要な引っ張り力の増加が抑えられ、閉蓋行程の後半も比較的軽い力で操作できる。
【００４５】
一方、これとは逆に、開蓋行程の前半には、ラックギヤ部１８ａを、ピニオンギヤ３５を昇らせる必要がある。しかし、上述したように、開蓋行程の前半には前蓋３１だけが後方に移動するので、後蓋３２の荷重を受け持つ必要がない。そして、開蓋行程の途中において後蓋３２の荷重が加わるころには、ラックギヤ部１８ａの水平部分にピニオンギヤ３５がほぼ到達するので、後方への押圧力の急激な上昇が緩和される。従って、開蓋行程の後半も比較的軽い力で操作できる。
【００４６】
このように、前蓋３１の操作だけで開蓋及び閉蓋操作が可能で、しかも、開閉の全行程において荷重の変化が少なく、開閉操作が容易となっている。
【００４７】
本実施の形態によれば、まず、開蓋時には、分割構成の前蓋３１及び後蓋３２が重なって筐体後部に収容されるので、楽器筐体の省スペースを図ることができる。特に、分割構成でない蓋体を採用する鍵盤楽器に比し、筐体高さをあまり高くすることなく筐体の前後長を短くすることができる。それだけでなく、ピニオンギヤ３５及びラックギヤ部１８ａが、左側板部１５Ｌ、右側板部１５Ｒに内蔵され、露出しないので、グリスが衣服等に付きにくく、潤滑効果が確保され、円滑な開閉動作を長期間維持することができると共に、良好な外観を維持することができる。
【００４８】
しかも、ガイド溝穴１９が突設部１７によって目隠しされるので、開蓋時の外観の悪化を抑制することができる。さらに、突設部１７は、蓋体３０の後蓋３２の後端部を支持する機能を兼ねて一体に構成されるので、簡単な構成で済む。
【００４９】
なお、これら両機能を果たすことに限れば、突設部１７は、前半部と後半部とを分離した構成としてもよい。特に、目隠し機能を単独で考えた場合、開蓋状態において、ガイド溝穴１９のうち蓋体３０では隠れない前半部だけを目隠しできればよいので、突設部１７を設ける領域や形状も、それに応じたものとすればよい。後蓋３２の後端部の支持機能についても同様で、主にガイド溝穴１９の後半部に対応する領域に設ければその機能は果たされる。
【００５０】
（第２の実施の形態）
本発明の第２の実施の形態では、ガイド溝穴１９を塞ぐためのカバー体２２を中空部ｓ内に設けた点が第１の実施の形態と異なり、その他の構成は同様である。
【００５１】
図４（ａ）は、第２の実施の形態に係る蓋開閉構造が適用される鍵盤楽器の図３（ａ）に対応する断面図である。図４（ｂ）、（ｃ）は、同鍵盤楽器の模式的な右側面図である。図４（ｂ）、（ｃ）では、図１、図２と同様に、右側板部１５Ｒが取り外された状態が示されている。さらに、前蓋支持部２０や突設部１７等の図示も省略され、蓋体３０については図示が省略されるが連動軸３３だけが示されている。図４（ｂ）は、連動軸３３が閉蓋位置にある状態を示し、図４（ｃ）は、連動軸３３が開閉途中の位置にある状態を示す。
【００５２】
図４（ａ）〜（ｃ）に示すように、左側板部１５Ｌの中空部ｓＬ内において、内側壁２６Ｌには、回動軸２１及びストッパ２３が設けられる。回動軸２１は、ガイド溝穴１９Ｌの上であって、ガイド溝穴１９Ｌの前後方向中間よりもやや後ろの位置に設けられる。ストッパ２３は、ガイド溝穴１９Ｌの前端部の下方位置に設けられる。回動軸２１には、カバー体２２が回動自在に取り付けられる。カバー体２２は、板状で、内側壁２６Ｌの左面に摺接するように配設される。カバー体２２は、側面視で回動軸２１を頂点とする略三角形乃至扇型の形状をしており、その下縁２２ｂが直線または滑らかな曲線状に形成される。
【００５３】
かかる構成において、閉蓋状態（図４（ｂ））においては、連動軸３３がガイド溝穴１９Ｌの前端に位置するので、カバー体２２は、下縁２２ｂが連動軸３３に当接支持されることで、前端部２２ａの下方への回動位置が規制される。
【００５４】
閉蓋状態から開蓋操作を行っていくと、連動軸３３が後方に移動するが、途中までは、カバー体２２の下縁２２ｂが連動軸３３に常に当接する。この間、すなわち、下縁２２ｂが連動軸３３に当接する全行程において、下縁２２ｂは、前方にいくにつれて下方に傾斜する姿勢を維持する。そして、連動軸３３が後退するにつれて、連動軸３３に摺接するカバー体２２は、前端部２２ａが徐々に下方に回動していくようになっている。
【００５５】
やがて、連動軸３３が図４（ｃ）に示す位置まで到達すると、カバー体２２の前端部２２ａがストッパ２３に当接する。これ以降、開蓋状態となるまでは、開蓋操作により連動軸３３が後方に移動しても、カバー体２２はストッパ２３に当接した状態で回動位置が規制されたままとなり、カバー体２２の姿勢は変化しない。
【００５６】
ストッパ２３によってカバー体２２の回動位置が規制された状態では、図４（ｃ）に示すように、カバー体２２によって、ガイド溝穴１９Ｌの前半部が塞がれるようになっている。従って、開蓋時においては当然に、ガイド溝穴１９Ｌの前半部が塞がれる。
【００５７】
図示はしないが、右側板部１５Ｒにおいても、カバー体２２、回動軸２１、ストッパ２３が、左側板部１５Ｌのものと左右対称に構成され、同様の作用を生じる。
【００５８】
ここで、上記したように、カバー体２２が連動軸３３に当接する全行程において、下縁２２ｂは前方にいくにつれて下方に傾斜していることから、カバー体２２の自重により連動軸３３は後方に付勢力を受ける。一方、カバー体２２が連動軸３３に当接する行程においては、連動軸３３は、ほとんど、ガイド溝穴１９乃至ラックギヤ部１８ａの前半部に位置するため、前蓋３１の自重によりピニオンギヤ３５が前方に転がりやすくなり、連動軸３３は前方に付勢力を受ける。
【００５９】
これにより、カバー体２２の自重により連動軸３３にかかる後方への付勢力が前蓋３１の自重によって緩和されるようになり、閉蓋操作が重くなるのが抑制される。
【００６０】
すなわち、カバー体２２の自重による付勢力と前蓋３１の自重による付勢力とは互いに打ち消し合うように作用する。これらの付勢力が適切となるように、ガイド溝穴１９乃至ラックギヤ部１８ａの傾斜や形状と下縁２２ｂの傾斜や形状とを併せ考慮して設計すれば、主に閉蓋操作を円滑にすることができる。例えば、ガイド溝穴１９及びラックギヤ部１８ａの傾斜を第１の実施の形態よりも強くすることで、両付勢力がうまく相殺され、カバー体２２が駆動される全行程で必要な操作力がほぼ一定となるように設計することも可能である。
【００６１】
本実施の形態によれば、第１の実施の形態と同様の効果を奏するだけでなく、開蓋時にガイド溝穴１９が塞がれるようにして、中空部ｓ内への異物の入り込み防止や外観向上に寄与することができる。
【００６２】
さらに、カバー体２２と前蓋３１の各自重による付勢力が前後方向における反対方向にかかるようにして、開閉動作を円滑にする設計を容易にすることができる。
【００６３】
なお、本実施の形態において、カバー体２２としては、開蓋時にガイド溝穴１９の少なくとも前半部を塞ぐことができるような位置及び形状を採用すればよく、例示したものに限られない。例えば、カバー体２２は、左側板部１５Ｌでいえば、内側壁２６Ｌの右面（内側面１５ｂＬ）に摺接するように設けてもよい。その場合は、カバー体２２との干渉を避けるため、突設部１７Ｌを廃止してもよい。
【００６４】
ところで、上記第１、第２の実施の形態において、側板部１５は、側板乃至腕木に相当するものとして構成したが、それに限らず、拍子木に相当する部分を側板部１５としてもよい。すなわち、安全や良好な外観確保のためには、図５（ａ）に例示するように、側板部１５を一体的に構成し、内側面より奥まった箇所にラックギヤ部１８ａ及びピニオンギヤ３５を配置して露出させない構成とすればよい。
【００６５】
図５（ａ）は、側板部の変形例を示す図３（ａ）に対応する断面図である。図５（ａ）に示すように、左側板部１５Ｌは、第１部材２４及び第２部材２５を有する。第１部材２４には、右方に開口した中空部ｓＬが形成され、中空部ｓＬの底面にラックギヤ部１８ａが直接形成されている。あるいは、中空部ｓＬの底面に、ラックギヤ部１８ａが形成された部材（ギヤ部材１８Ｌに相当するもの）を固着してもよい。そして、第１部材２４の右面に、第２部材２５が固着されている。第２部材２５の右面が左側板部１５Ｌの内側面１５ｂＬとなる。第２部材２５は、第１の実施の形態における左側板部１５Ｌの内側壁２６Ｌ（図３（ａ）参照）に相当し、ガイド溝穴１９Ｌは、第２部材２５に形成される。その他の構成は、第１の実施の形態と同様である。
【００６６】
また、上記各実施の形態において、前蓋３１の移動に連動して後蓋３２が前後移動し、前蓋３１の操作だけで開蓋及び閉蓋操作が可能なように構成する上で、両蓋間の係合は、連動軸３３と係合部材３４の係合溝３４ａ（図１（ａ）参照）とによるものに限られない。また、前蓋３１、後蓋３２の積層の上下関係を逆にしてもよい。
【００６７】
例えば、図５（ｂ）に蓋体３０の変形例の模式図を示すように、前蓋３１の後部下部に係合部３６を突設する。さらに、後蓋３２の前端部上部と後端部上部とに、それぞれ被係合部３７、３８を突設する。そして、被係合部３７、３８間に係合部３６が位置するように前蓋３１及び後蓋３２を配設する。
【００６８】
閉蓋状態から前蓋３１が後方に移動すると、途中から係合部３６が被係合部３８と係合し、後蓋３２が連動して後退する。また、開蓋状態から前蓋３１が前方に移動すると、途中から係合部３６が被係合部３７と係合し、後蓋３２が連動して前進する。
【００６９】
ここで、上述した第１、第２の実施の形態と対比すれば、連動軸３３の左端部３３ａ、右端部３３ｂの役割を係合部３６が果たし、係合部材３４の係合溝３４ａ（３４ａＬ、３４ａＲ）の前端、後端の役割を、被係合部３７、３８が果たすことになる。図５（ｂ）のような構成でも、蓋体３０の前後動作は第１、第２の実施の形態と同じとなる。このような係合関係となる構成は、例示したものに限られず、各種考えられる。
【００７０】
なお、図５（ｂ）のような構成において、前蓋３１、後蓋３２の積層の上下関係を第１、第２の実施の形態のものと同じとする場合は、図５（ｃ）に示すような構成とすればよい。この場合、係合部及び被係合部は、前蓋３１、後蓋３２の左右端位置ではなく、左右方向における中間位置に設ければ見えなくなるので、外観が悪化しなくて済む。
【００７１】
なお、上記各実施の形態において、蓋体３０は、前蓋３１及び後蓋３２の２枚の分割構成であったが、これらに相当する連結されて開蓋時に積層される分割構成の２枚の蓋を有する構成であればよい。従って、これら２枚の蓋の前部または後部に、別の蓋が連結され、３枚以上となった構成であってもよい。
【符号の説明】
【００７２】
１０  鍵盤楽器、  １５Ｌ  左側板部、  １５ａＬ  外側面（左外側面）、  １５ｂＬ  内側面（左内側面）、  １５Ｒ  右側板部、  １５ａＲ  外側面（右外側面）、  １５ｂＲ  内側面（右内側面）、  １７Ｌ  突設部（左側突設部、後蓋支持部）、  １７Ｒ  突設部（右側突設部、後蓋支持部）、  １８Ｌ、１８Ｒ  ギヤ部材、  １８ａＬ  ラックギヤ部（左側ラックギヤ部）、  １８ａＲ  ラックギヤ部（右側ラックギヤ部）、  １９Ｌ  ガイド溝穴（左側ガイド溝穴）、  １９Ｒ  ガイド溝穴（右側ガイド溝穴）、  ２１  回動軸（左回動軸、右回動軸）、  ２２  カバー体（左カバー体、右カバー体）、  ２２ａ  前端部、  ２２ｂ  下縁、  ３０  蓋体、  ３１  前蓋、  ３１ａ  後端部、  ３２  後蓋、  ３３  連動軸（係合部）、  ３３ａ  左端部、  ３３ｂ  右端部、  ３４ａ  係合溝（被係合部）、  ３５Ｌ  ピニオンギヤ（左側ピニオンギヤ）、  ３５Ｒ  ピニオンギヤ（右側ピニオンギヤ）、  ３６  係合部、  ３７、３８  被係合部、  ｓＬ  中空部（左側中空部）、  ｓＲ  中空部（右側中空部）
【図１】
2010204451.tif 000003
【図２】
2010204451.tif 000004
【図３】
2010204451.tif 000005
【図４】
2010204451.tif 000006
【図５】
2010204451.tif 000007